(57)【特許請求の範囲】
【請求項１】
複数の電圧の出力を行う電圧生成回路であって、
第１出力電圧を生成する第１電圧生成部と、
前記第１出力電圧よりも低い電圧である第２出力電圧を生成する第２電圧生成部と、を
含み、
前記第１出力電圧の出力は、段階的に電圧値を上げながら第１基準電圧値となるように制御され、
前記第２出力電圧の出力は、段階的に電圧値を上げながら第２基準電圧値となるように制御され、
前記第２出力電圧の出力の開始は、前記第１出力電圧の出力の開始よりも後に行われ、
前記第１出力電圧が前記第１基準電圧値となるときの時刻と前記第２出力電圧が前記第２基準電圧値となるときの時刻とが略同一の時刻であることを特徴とする電圧生成回路。
【請求項２】
前記第１出力電圧は、第１電圧値だけ段階的に高くなり、
前記第２出力電圧は、第２電圧値だけ段階的に高くなり、
前記第１電圧値と前記第２電圧値とは略同一であることを特徴とする請求項１に記載の電圧生成回路。
【請求項３】
更に、前記第２出力電圧よりも低い電圧である第３出力電圧を生成する第３電圧生成部と、を含み、
前記第３出力電圧の出力は、第３電圧値だけ段階的に上げながら第３基準電圧値となるように制御され、
前記第３出力電圧の出力の開始は、前記第２出力電圧の出力の開始よりも後に行われ、
前記第２出力電圧が前記第２基準電圧値となるときの時刻と前記第３出力電圧が前記第３基準電圧値となるときの時刻とが略同一の時刻であり、
前記第２電圧値と前記第３電圧値とは略同一であることを特徴とする請求項２に記載の電圧生成回路。
【請求項４】
前記第１出力電圧における段階的な変化のタイミングと前記第２出力電圧における段階的な変化のタイミングとが略同一のタイミングであり、
前記第２出力電圧における段階的な変化のタイミングと前記第３出力電圧における段階的な変化のタイミングとが略同一のタイミングであることを特徴とする請求項３に記載の電圧生成回路。
【請求項５】
基準となる複数の電圧を要する表示部と、
前記複数の電圧を生成する電圧生成回路と、を含み、
前記電圧生成回路は、
第１出力電圧を生成する第１電圧生成部と、
前記第１出力電圧よりも低い電圧である第２出力電圧を生成する第２電圧生成部と、を
含み、
前記第１出力電圧の出力は、段階的に電圧値を上げながら第１基準電圧値となるように制御され、
前記第２出力電圧の出力は、段階的に電圧値を上げながら第２基準電圧値となるように制御され、
前記第２出力電圧の出力の開始は、前記第１出力電圧の出力の開始よりも後に行われ、
前記第１出力電圧が前記第１基準電圧値となるときの時刻と前記第２出力電圧が前記第２基準電圧値となるときの時刻とが略同一の時刻であり、
前記第１出力電圧は、第１電圧値だけ段階的に高くなり、
前記第２出力電圧は、第２電圧値だけ段階的に高くなり、
前記第１電圧値と前記第２電圧値とは略同一であることを特徴とする電圧生成回路を有する表示装置。
【請求項６】
前記電圧生成回路は、更に、前記第２出力電圧よりも低い電圧である第３出力電圧を生成する第３電圧生成部と、を含み、
前記第３出力電圧の出力は、段階的に第３電圧値だけ上げながら第３基準電圧値となるように制御され、
前記第３出力電圧の出力の開始は、前記第２出力電圧の出力の開始よりも後に行われ、
前記第２出力電圧が前記第２基準電圧値となるときの時刻と前記第３出力電圧が前記第３基準電圧値となるときの時刻とが略同一の時刻であり、
前記第２電圧値と前記第３電圧値とは略同一であることを特徴とする請求項５に記載の電圧生成回路を有する表示装置。
【請求項７】
複数の電圧の出力を発生する電圧生成方法であって、
第１出力電圧を生成する第１電圧生成工程と、
前記第１出力電圧よりも低い電圧である第２出力電圧を生成する第２電圧生成工程と、
を含み、
前記第１電圧生成工程において、前記第１出力電圧の出力が段階的に第１電圧値だけ上げながら第１基準電圧値となるように制御され、
前記第２電圧生成工程において、前記第２出力電圧の出力が段階的に第２電圧値だけ上げながら第２基準電圧値となるように制御され、
前記第２電圧生成工程の開始は、前記第１電圧生成工程が開始された後であり、
前記第１電圧生成工程及び前記第２電圧生成工程において、前記第１出力電圧が前記第１基準電圧値となるときの時刻と前記第２出力電圧が前記第２基準電圧値となるときの時刻とが略同一の時刻となるように制御され、
前記第１電圧値と前記第２電圧値とは略同一であることを特徴とする電圧生成方法。
【請求項８】
更に、前記第２出力電圧よりも低い電圧である第３出力電圧を生成する第３電圧生成工程と、を含み、
前記第３電圧生成工程において、前記第３出力電圧の出力が段階的に第３電圧値だけ上げながら第３基準電圧値となるように制御され、
前記第３電圧生成工程の開始は、前記第２電圧生成工程が開始された後であり、
前記第２電圧生成工程及び前記第３電圧生成工程において、前記第２出力電圧が前記第２基準電圧値となるときの時刻と前記第３出力電圧が前記第３基準電圧値となるときの時刻とが略同一の時刻となるように制御され、
前記第２電圧値と前記第３電圧値とは略同一であることを特徴とする請求項７に記載の電圧生成方法。
【請求項９】
複数の電圧の出力を行う電圧生成回路であって、
第１出力電圧を生成する第１電圧生成部と、
前記第１出力電圧よりも低い電圧である第２出力電圧を生成する第２電圧生成部と、を
含み、
初期設定時において、前記第１出力電圧の出力は、段階的に電圧値を上げながら第１基準電圧値となるように制御され、
初期設定時において、前記第２出力電圧の出力は、段階的に電圧値を上げながら第２基準電圧値となるように制御され、
前記第２出力電圧の出力の開始は、前記第１出力電圧の出力の開始よりも後に行われ、
前記第１出力電圧が前記第１基準電圧値となるときの時刻と前記第２出力電圧が前記第２基準電圧値となるときの時刻とが略同一の時刻であることを特徴とする電圧生成回路。
【請求項１０】
複数の電圧の出力を発生する電圧生成方法であって、
初期設定時において、第１出力電圧を生成する第１電圧生成工程と、
初期設定時において、前記第１出力電圧よりも低い電圧である第２出力電圧を生成する第２電圧生成工程と、
を含み、
前記第１電圧生成工程において、前記第１出力電圧の出力が段階的に第１基準電圧値となるように制御され、
前記第２電圧生成工程において、前記第２出力電圧の出力が段階的に第２基準電圧値となるように制御され、
前記第２電圧生成工程の開始は、前記第１電圧生成工程が開始された後であり、
前記第１電圧生成工程及び前記第２電圧生成工程において、前記第１出力電圧が前記第１基準電圧値となるときの時刻と前記第２出力電圧が前記第２基準電圧値となるときの時刻とが略同一の時刻となるように制御されることを特徴とする電圧生成方法。
【発明の詳細な説明】
【技術分野】
【０００１】
本発明は、電子機器若しくは電気機器に用いられる電圧生成回路、当該電圧生成回路を有する表示装置及び電圧生成方法に関する。
【背景技術】
【０００２】
従来、電子機器若しくは電気機器には、機器内部に異なった電圧を必要とする複数の回路やモーターなどが存在する場合がある。このような機器には、外部から直接複数の電圧を供給する形式のものや、外部から単一の電圧を供給し機器内部で複数の電圧を生成する形式のものがある。
【０００３】
また、これらの機器の中には、機器に正確な動作を行わせるために、複数の電圧に対して精度の高い電圧値を要求するものがある。例えば、液晶や有機ＥＬなどの表示装置は、画像の階調を正確に表現するためには、階調の値に対応した正確な表示電圧を液晶や有機ＥＬの表示パネルに供給することが必要であり、当該表示電圧を生成するためには正確な複数の電圧が要求される。このような正確な複数の電圧は基準電圧と呼ばれる場合がある。基準電圧の本数は、表示装置によって異なるものの、数本から数百本程度であり、機器によっては表示階調数と同程度の本数が必要となる場合もある。
【０００４】
上述したように、基準電圧には正確な電圧値が要求される。特許文献１には、液晶表示装置における消費電力を低減するために、共通電極への信号生成部に持っていた画素電極と共通電極との電位差の調整手段をなくして基準電圧生成部に基準電圧をシフトさせる機能を持たせることが記載されている。基準電圧は、液晶パネルにソース信号を出力するソースドライバー回路に入力される。
【先行技術文献】
【特許文献】
【０００５】
【特許文献１】特開２００２−１０８３１２号公報
【発明の概要】
【発明が解決しようとする課題】
【０００６】
しかしながら、特許文献１における基準電圧生成部では、複数の基準電圧における電圧のシフトが同一タイミングで行われることからソースドライバー回路における電流の量が急に変化する。このため、各々の基準電圧におけるシフトする電位差によるものの、ソースドライバー回路から出力される複数のソース信号のレベルが急激に変化することが想定される。通常の場合、ひとつの基準電圧で示される電圧値を出力電圧とするソース信号は複数存在する。このため、この急激な基準電圧の変化に伴うソース信号の変化は、ソースドライバー回路に流れる電流の増量をもたらすことになる。この現象は、ソースドライバー回路に電力を供給する電源部の負荷を増大させ、電源電圧の低下を招く可能性がある。電源電圧の低下は、装置全体の様々な部分における誤動作を引き起こす可能性がある。
【０００７】
また、基準電圧生成部にもソースドライバー回路と同じ電源部が使われている場合には、正確な基準電圧が維持できない状態を招く。これは、例えば、複数の基準電圧の電圧値の上下関係が逆転する状態を引き起こすことが考えられ、ソースドライバー回路の構成によっては、ラッチアップと同様の状態が発生して、これにより流れる大量の電流によりソースドライバー回路を構成する素子の破壊を招くことが考えられる。
【０００８】
上述した問題は、急激な電流の変化に耐えて安定した電圧の供給が可能な電源部を装置に持たせれば解決することができるが、このためには想定をカバーできるより容量の大きな電源部が必要であり、表示装置に用いるには大きさが大きくなり且つコストも高くつく可能性が高い。
【課題を解決するための手段】
【０００９】
本発明は、上述の課題の少なくとも一部を解決するためになされたものであり、以下の実施形態または適用例として実現することが可能である。
【００１０】
［適用例１］
本適用例にかかる電圧生成回路は、複数の電圧の出力を行う電圧生成回路であって、第１出力電圧を生成する第１電圧生成部と、前記第１出力電圧よりも低い電圧である第２出力電圧を生成する第２電圧生成部と、を含み、前記第１出力電圧の出力は、段階的に電圧値を上げながら第１基準電圧値となるように制御され、前記第２出力電圧の出力は、段階的に電圧値を上げながら第２基準電圧値となるように制御され、前記第２出力電圧の出力の開始は、前記第１出力電圧の出力の開始よりも後に行われ、前記第１出力電圧が前記第１基準電圧値となるときの時刻と前記第２出力電圧が前記第２基準電圧値となるときの時刻とが略同一の時刻であることを特徴とする。
【００１１】
この構成によれば、電圧生成回路において、第１電圧生成部の出力である第１出力電圧が段階的に電圧を上げながら第１基準電圧値となるように制御され、第２電圧生成部の出力である第２出力電圧が段階的に電圧を上げながら第２基準電圧値になるように制御され、第２出力電圧は第１出力電圧よりも低く、第２出力電圧の出力の開始が第１出力電圧の出力の開始よりも後に行われ、第１出力電圧が第１基準電圧値となるときに第２出力電圧が第２基準電圧値となるようにすることで、第１出力電圧及び第２出力電圧が入力される回路に電源部から流れ込む電流の急激な変化を抑える事ができる。
【００１２】
［適用例２］
上記適用例にかかる電圧生成回路において、前記第１出力電圧は、第１電圧値だけ段階的に高くなり、前記第２出力電圧は、第２電圧値だけ段階的に高くなり、前記第１電圧値と前記第２電圧値とは略同一であることが好ましい。
【００１３】
この構成によれば、第１出力電圧が第１電圧値だけ段階的に高くなり、第２出力電圧が第２電圧値だけ段階的に高くなり、第１電圧値と第２電圧値とが略同一であることで、電圧生成回路内における回路の構成を、電流量の変化に対しての影響の少ない回路構成にすることができる。
【００１４】
［適用例３］
上記適用例にかかる電圧生成回路において、更に、前記第２出力電圧よりも低い電圧である第３出力電圧を生成する第３電圧生成部と、を含み、前記第３出力電圧の出力は、第３電圧値だけ段階的に上げながら第３基準電圧値となるように制御され、前記第３出力電圧の出力の開始は、前記第２出力電圧の出力の開始よりも後に行われ、前記第２出力電圧が前記第２基準電圧値となるときの時刻と前記第３出力電圧が前記第３基準電圧値となるときの時刻とが略同一の時刻であり、前記第２電圧値と前記第３電圧値とは略同一であることが好ましい。
【００１５】
この構成によれば、更に第３電圧生成部を有し、第３電圧生成部で生成される第２出力電圧よりも低い第３出力電圧が、第３電圧値だけ段階的に上げながら第３基準電圧値となるように制御され、第３出力電圧の出力の開始が第２出力電圧の出力の開始よりも遅く、第３出力電圧が第３基準電圧値となるのが第２出力電圧が第２基準電圧値となるのと略同一の時刻であり、第３電圧値が第２電圧値と略同一の電圧値であることで、第３出力電圧が入力される回路に電源部から流れ込む電流量の急激な変化を抑えることができると共に、電圧生成回路内における回路の構成を、電流量の変化に対しての影響の少ない回路構成にすることができる。
【００１６】
［適用例４］
上記適用例にかかる電圧生成回路において、前記第１出力電圧における段階的な変化のタイミングと前記第２出力電圧における段階的な変化のタイミングとが略同一のタイミングであり、前記第２出力電圧における段階的な変化のタイミングと前記第３出力電圧における段階的な変化のタイミングとが略同一のタイミングであることが好ましい。
【００１７】
この構成によれば、第１出力電圧の変化のタイミング及び第２出力電圧の変化のタイミングが略同一のタイミングであり、第２出力電圧の変化のタイミングと第３出力電圧の変化のタイミングとが略同一のタイミングであることで、電圧生成回路における電圧変化のタイミング制御の回路を出力電圧毎に構成する必要がなくなるなど回路の簡略化が図れると共に、第１出力電圧が第２出力電圧よりも低くなる期間及び第２出力電圧が第３出力電圧よりも低くなる期間を無くすことができる。
【００１８】
［適用例５］
本適用例にかかる電圧生成回路を有する表示装置は、基準となる複数の電圧を要する表示部と、前記複数の電圧を生成する電圧生成回路と、を含み、前記電圧生成回路は、第１出力電圧を生成する第１電圧生成部と、前記第１出力電圧よりも低い電圧である第２出力電圧を生成する第２電圧生成部と、を含み、前記第１出力電圧の出力は、段階的に電圧値を上げながら第１基準電圧値となるように制御され、前記第２出力電圧の出力は、段階的に電圧値を上げながら第２基準電圧値となるように制御され、前記第２出力電圧の出力の開始は、前記第１出力電圧の出力の開始よりも後に行われ、前記第１出力電圧が前記第１基準電圧値となるときの時刻と前記第２出力電圧が前記第２基準電圧値となるときの時刻とが略同一の時刻であり、前記第１出力電圧は、第１電圧値だけ段階的に高くなり、前記第２出力電圧は、第２電圧値だけ段階的に高くなり、前記第１電圧値と前記第２電圧値とは略同一であることを特徴とする。
【００１９】
この構成によれば、表示装置が、基準となる複数の電圧を要する表示部と複数の電圧を生成する電圧生成回路とを含み、電圧生成回路が第１出力電圧を生成する第１電圧生成部と第１出力電圧よりも低い電圧である第２出力電圧を生成する第２電圧生成部とを含み、第１出力電圧の出力が段階的に電圧値を上げながら第１基準電圧値となるように制御され、第２出力電圧の出力が段階的に電圧値を上げながら第２基準電圧値となるように制御され、第２出力電圧の出力の開始が第１出力電圧の出力の開始よりも後に行われ、第１出力電圧が第１基準電圧値となるときの時刻と第２出力電圧が第２基準電圧値となるときの時刻とが略同一の時刻であり、第１出力電圧が第１電圧値だけ段階的に高くなり、第２出力電圧は、第２電圧値だけ段階的に高くなり、第１電圧値と第２電圧値とは略同一であることで、表示装置内における第１出力電圧及び第２出力電圧の各々の電圧の変化に伴う電流量の急激な変化を抑える事ができる。
【００２０】
［適用例６］
上記適用例にかかる電圧生成回路を有する表示装置において、前記電圧生成回路は、更に、前記第２出力電圧よりも低い電圧である第３出力電圧を生成する第３電圧生成部と、を含み、前記第３出力電圧の出力は、段階的に第３電圧値だけ上げながら第３基準電圧値となるように制御され、前記第３出力電圧の出力の開始は、前記第２出力電圧の出力の開始よりも後に行われ、前記第２出力電圧が前記第２基準電圧値となるときの時刻と前記第３出力電圧が前記第３基準電圧値となるときの時刻とが略同一の時刻であり、前記第２電圧値と前記第３電圧値とは略同一であることが好ましい。
【００２１】
この構成によれば、更に第３電圧生成部を有し、第３電圧生成部で生成される第２出力電圧よりも低い第３出力電圧が、第３電圧値だけ段階的に上げながら第３基準電圧値となるように制御され、第３出力電圧の出力の開始が第２出力電圧の出力の開始よりも遅く、第３出力電圧が第３基準電圧値となるのが第２出力電圧が第２基準電圧となるのと略同一の時刻であり、第３電圧値が第２電圧値と略同一の電圧値であることで、第３出力電圧が入力される回路に電源部から流れ込む電流量の急激な変化を抑えることができると共に、電圧生成回路内における電流量の制御を容易にすることができる。
【００２２】
［適用例７］
本適用例にかかる電圧生成方法は、複数の電圧の出力を行う電圧生成方法であって、第１出力電圧を生成する第１電圧生成工程と、前記第１出力電圧よりも低い電圧である第２出力電圧を生成する第２電圧生成工程と、を含み、前記第１電圧生成工程において、前記第１出力電圧の出力が段階的に第１電圧値だけ上げながら第１基準電圧値となるように制御され、前記第２電圧生成工程において、前記第２出力電圧の出力が段階的に第２電圧値だけ上げながら第２基準電圧値となるように制御され、前記第２電圧生成工程の開始は、前記第１電圧生成工程が開始された後であり、前記第１電圧生成工程及び前記第２電圧生成工程において、前記第１出力電圧が前記第１基準電圧値となるときの時刻と前記第２出力電圧が前記第２基準電圧値となるときの時刻とが略同一の時刻となるように制御され、前記第１電圧値と前記第２電圧値とは略同一であることを特徴とする。
【００２３】
この方法によれば、第１出力電圧を生成する第１電圧生成工程と第１出力電圧よりも低い電圧である第２出力電圧を生成する第２電圧生成工程とを含み、第１電圧生成工程において第１出力電圧の出力が段階的に電圧値を上げながら第１基準電圧値となるように制御され、第２電圧生成工程において第２出力電圧の出力が段階的に電圧値を上げながら第２基準電圧値となるように制御され、第２電圧生成工程の開始が第１電圧生成工程が開始された後であり、第１出力電圧が第１基準電圧値となるときの時刻と第２出力電圧が第２基準電圧値となるときの時刻とが略同一の時刻となるように第１電圧生成工程及び第２電圧生成工程において制御が行われ、第１電圧値と第２電圧値とは略同一であることで、第１出力電圧及び第２出力電圧の各々の電圧の変化に伴う電流量の急激な変化を抑える制御を行うことができる。
【００２４】
［適用例８］
上記適用例にかかる電圧生成方法において、更に、前記第２出力電圧よりも低い電圧である第３出力電圧を生成する第３電圧生成工程と、を含み、前記第３電圧生成工程において、前記第３出力電圧の出力が段階的に第３電圧値だけ上げながら第３基準電圧値となるように制御され、前記第３電圧生成工程の開始は、前記第２電圧生成工程が開始された後であり、前記第２電圧生成工程及び前記第３電圧生成工程において、前記第２出力電圧が前記第２基準電圧値となるときの時刻と前記第３出力電圧が前記第３基準電圧値となるときの時刻とが略同一の時刻となるように制御され、前記第２電圧値と前記第３電圧値とは略同一であることを特徴とすることが好ましい。
【００２５】
この方法によれば、更に、第２出力電圧よりも低い電圧である第３出力電圧を生成する第３電圧生成工程と、を含み、第３電圧生成工程において第３出力電圧の出力が段階的に第３電圧値だけ上げながら第３基準電圧値となるように制御され、第３電圧生成工程の開始は、第２電圧生成工程が開始された後であり、第２電圧生成工程及び第３電圧生成工程において第２出力電圧が第２基準電圧値となるときの時刻と第３出力電圧が第３基準電圧値となるときの時刻とが略同一の時刻となるように制御され、第２電圧値と第３電圧値とは略同一であるように制御されることで、第３出力電圧が入力される回路に電源部から流れ込む電流量の急激な変化を抑えることができると共に、電圧生成回路内における電流量の制御を容易にすることができる。
【図面の簡単な説明】
【００２６】
【図１】電圧生成回路の概略ブロック図。
【図２】第１電圧生成部の概略ブロック図。
【図３】電圧生成回路における処理のフローチャート。
【図４】電圧生成回路を有する表示装置の概略ブロック図。
【図５】電圧生成回路の出力電圧を示すグラフ。
【図６】電圧生成回路の概略ブロック図。
【図７】電圧生成回路における電圧生成部の概略ブロック図。
【図８】従来の電圧生成回路の出力電圧を示すグラフ。
【図９】電圧生成回路の出力電圧を示すグラフ。
【発明を実施するための形態】
【００２７】
本発明の実施形態について、図を用いて説明する。説明に用いる図は、少なくとも説明に必要な部分を記載した便宜上のものである。また、本実施形態を含め、以降の実施形態における構成は、本発明の実施の限定を加えるものではない。尚、以降の実施形態の説明においてオン若しくはオフという言葉を用いるが、信号によってはオン若しくはオフにされた後はオフ若しくはオンにされない限りオンの状態若しくはオフの状態を維持するもの、オンにされたときにオフの状態から所定の期間のみオンの状態となるものがある。これらは信号の機能によって判別可能であることから、説明の中においてはこの違いに言及することなくオン若しくはオフを用いることとする。
【００２８】
（第１実施形態）
図１に、本発明を適用した電圧生成回路１００を示す。電圧生成回路１００は、外部インターフェイス１１０（以降、外部ＩＦ１１０と呼ぶ）、制御部１２０、発振器１３０及びｎ個の電圧生成部を含む。また、電圧生成回路１００には、動作に必要な電力を供給するために電源信号１０２が接続されている。尚、図１においてはＧＮＤ接続の図示は省略している。電圧生成回路１００は、ｎ個の電圧生成部によりｎ個の基準電圧を生成し、出力する回路である。尚、図１において、ｎ個の電圧生成部の内、第１電圧生成部１４０、第２電圧生成部１５０、第３電圧生成部１６０及び第ｎ電圧生成部１７０を示している。
【００２９】
電圧生成回路１００は、図示していないホスト装置により制御される。当該ホスト装置との間を接続するのが外部信号１０１である。外部信号１０１の種類は特に限定するものではない。接続可能なホスト装置の仕様に合わせることでもよい。例えば、外部信号１０１は、Ｉ２ＣバスやＳＰＩでもよく、あるいは、ＵＳＢでもよい。このような外部信号１０１との信号のやり取りを行い、電圧生成回路１００内部にホスト装置からのコマンドの伝達やデータの送受信などを行うのが外部ＩＦ１１０の役割である。
【００３０】
制御部１２０は、電圧生成回路１００内部の制御を行うと共に、外部ＩＦ１１０から伝達されるコマンドの実行を行う部分である。当該コマンドに従った制御部１２０の指示により、例えば、ｎ個の電圧生成部のそれぞれに対する基準電圧値の設定が内部制御信号１２１を介して行われる。尚、ここでいう基準電圧値とは、電圧生成回路１００が最終的に出力する電圧のことである。また、制御部１２０は、ｎ個の電圧生成部の出力が基準電圧値になるまでの時間の制御や、段階的に上げていく単位電圧の制御などを行う。また、電圧生成回路１００内に異常があればステータスとしてその情報を保持し、ホスト装置のステータス読み出しのコマンドに従い、外部ＩＦ１１０を介してホスト装置に提供する。尚、内部制御信号１２１は、後述するように、複数の信号から構成される信号である。
【００３１】
発振器１３０は、外部ＩＦ１１０、制御部１２０及びｎ個の電圧生成部のそれぞれに対して動作に必要なクロックを提供する部分である。クロックの周波数は、電源投入後は予め設定されている所定の周波数であるが、その後は制御部１２０より動作に適したクロック周波数の設定がなされる。
【００３２】
第１電圧生成部１４０は、第１基準電圧１４１を生成する部分である。同様に、第２電圧生成部１５０は第２基準電圧１５１を生成する部分であり、第３電圧生成部１６０は第３基準電圧１６１を生成する部分である。そして。第ｎ電圧生成部１７０は、第ｎ基準電圧１７１を生成する部分である。
【００３３】
本実施形態においては、ｎ個の基準電圧の中で電圧値が最も高いのが第１基準電圧１４１である。第１基準電圧値の次に電圧値が高いのが第２基準電圧１５１であり、ｎ個の基準電圧の中で電圧値が最も低いのが第ｎ基準電圧１７１である。第２基準電圧から第ｎ−１基準電圧の中の任意の基準電圧を第ｍ基準電圧としたときに、第ｍ−１基準電圧と第ｍ基準電圧との電圧差は、第ｍ基準電圧と第ｍ＋１基準電圧との電圧差とほぼ等しい。この電圧差のことを単位電圧と呼ぶことにする。
【００３４】
図２に第１電圧生成部１４０の概略ブロック図を示す。図示してはいないが、他の電圧生成部の構成も、第１電圧生成部１４０と同様である。第１電圧生成部１４０は、第１レジスター１４５、第２レジスター１４４、デジタル−アナログ変換器１４３（以降、ＤＡＣ１４３と呼ぶ）及び出力アンプ１４２を有する。データ信号１２２、書込み指示信号１２３及び書込み指示信号１２４は、共に制御部１２０から出力される信号であり内部制御信号１２１に含まれる。尚、以降の説明において、第２電圧生成部１５０〜第ｎ電圧生成部１７０の説明においても、図２で示した構成要素の付番を用いて行うことにする。
【００３５】
ＤＡＣ１４３は、第２レジスター１４４の出力であるデジタル信号１２６をアナログ信号１２７に変換して出力アンプ１４２に出力する。アナログ信号１２７は、デジタル信号１２６の値に応じたレベルの信号となる。このアナログ信号１２７が出力アンプ１４２により第１基準電圧１４１として出力される。出力アンプ１４２は、所謂オペアンプでよく、アナログ信号１２７と第１基準電圧１４１はボルテージフォロアの関係にある。
【００３６】
第１レジスター１４５は、書込み指示信号１２３の指示によりデータ信号１２２で伝達される設定値が書き込まれるレジスターである。第２レジスター１４４は、書込み指示信号１２４の指示により第１レジスター１４５の出力が書き込まれるレジスターである。上述したように、データ信号１２２、書込み指示信号１２３及び書込み指示信号１２４は共に制御部１２０から出力される信号である。書込み指示信号１２３の指示で第１レジスター１４５に書き込まれた設定値は、書込み指示信号１２４の指示で第２レジスター１４４に書き込まれることになる。
【００３７】
第２レジスター１４４の出力であるデジタル信号１２６はＤＡＣ１４３によりアナログ信号１２７に変換され、出力アンプ１４２を介して第１基準電圧１４１として出力されるが、第２レジスター１４４の値の更新タイミングを書込み指示信号１２４により制御することで、第１基準電圧の切替えタイミングを制御部１２０により制御することが可能となる。上述したように、ｎ個の電圧生成部の各々の構成は同様の構成である。データ信号１２２は共通の信号線が接続されるが、書込み指示信号１２３及び書込み指示信号１２４はそれぞれの電圧生成部において独立した信号線を介して伝達される。これにより、制御部１２０は、各々の電圧生成部の第１レジスター１４５に対して個別に異なる設定値を書き込むことが可能となると共にすべての電圧生成部における第２レジスター１４４の更新を略同一のタイミングで行うことができる。これにより、すべての基準電圧の変更が、略同一のタイミングで行われることになる。制御部１２０は、各々の電圧生成部の第１レジスター１４５に出力する電圧に見合った値を設定し、この値を第２レジスター１４４に書き込むことを繰り返すことで、すべての電圧生成部における出力を目的とする基準電圧値に設定することができる。
【００３８】
次にフローチャートを用いて、制御方法について説明する。図３−（ａ）に、電圧生成回路１００における制御フローチャートＦ１００を示す。
【００３９】
まず、電圧生成回路１００を有する装置の電源が投入されると、初期設定（処理Ｓ１０１）が行われる。初期設定（処理Ｓ１０１）には、当該装置の電源投入に伴い行われるパワーオンリセットとその後に実行される初期設定ルーチンによる制御モード等の設定の処理が含まれる。
【００４０】
初期設定ルーチンのフローチャートは特に示さないが、初期設定ルーチンの実行は、制御部１２０において行われることでよい。制御部１２０により、外部ＩＦ１１０がホスト装置との通信が可能な状態に設定され、第１電圧生成部１４０〜第ｎ電圧生成部１７０で用いられる動作クロック１３１の周波数の設定などが行われる。
【００４１】
すべての電圧生成部における第２レジスター１４４の初期値は、基準電圧として出力される電圧が０Ｖ（ボルト）となるようにパワーオンリセットによって設定される。初期設定ルーチンにより動作クロック１３１の周波数などが設定され、第１電圧生成部１４０〜第ｎ電圧生成部１７０の動作が可能となると、第２レジスター１４４の値に従い、第１基準電圧１４１〜第ｎ基準電圧１７１の出力が０Ｖ（ボルト）になる。
【００４２】
次に、第１基準電圧１４１〜第ｎ基準電圧１７１に対する基準電圧の設定が行われる（処理Ｓ１０２〜処理Ｓ１０４）。第１基準電圧１４１〜第ｎ基準電圧１７１は、段階的に所定の単位電圧だけ上げられて、最終的にそれぞれの目的とされる規定された基準電圧に設定される。全ての基準電圧の出力が規定された基準電圧（基準電圧値）になったかどうかの判定は、処理Ｓ１０４で行われ、全ての基準電圧の出力が基準電圧値になったと判定された場合には基準電圧設定の処理を終了する。
【００４３】
処理Ｓ１０２〜処理Ｓ１０４による第１基準電圧１４１〜第ｎ基準電圧１７１に対する基準電圧の設定は、次のようにして行われる。
【００４４】
まず、制御部１２０は、データ信号１２２に単位電圧“Ｐ”に該当する設定値“Ｋ”を出力し、第１電圧生成部１４０に対する書込み指示信号１２３により第１電圧生成部１４０における第１レジスター１４５への書き込みを指示する（処理Ｓ１０２）。これにより、設定値“Ｋ”が第１電圧生成部１４０における第１レジスター１４５に書き込まれ保持される。尚、“Ｐ”についてはＶ（ボルト）などの単位の記載を省略する。
【００４５】
次に、書込み指示信号１２４により第１電圧生成部１４０における第２レジスター１４４への書込みを指示すると第１レジスター１４５に保持された設定値“Ｋ”が第１電圧生成部１４０における第２レジスター１４４に書き込まれる。これによりＤＡＣ１４３の入力信号であるデジタル信号１２６の値が設定値“Ｋ”となり、ＤＡＣ１４３のアナログ信号１２７が変化する。このアナログ信号１２７に従い、出力アンプ１４２の出力である第１基準電圧の電圧値が“Ｐ”となる（処理Ｓ１０３）。この状態においては、第２基準電圧１５１〜第ｎ基準電圧１７１の出力電圧は０Ｖ（ボルト）のままである。従って、すべての基準電圧の設定がなされていないことから終了とは判断されず処理Ｓ１０２に進むことになる（処理Ｓ１０４）。
【００４６】
次に、制御部１２０は、データ信号１２２に単位電圧の２倍にあたる“２×Ｐ”に該当する設定値“２×Ｋ”を出力し、第１電圧生成部１４０に対する書込み指示信号１２３により第１電圧生成部１４０における第１レジスター１４５への書き込みを指示する。続いて、制御部１２０は、データ信号１２２に単位電圧“Ｐ”に該当する設定値“Ｋ”を出力し、第２電圧生成部１５０に対する書込み指示信号１２３により第２電圧生成部１５０における第１レジスター１４５への書き込みを指示する。これにより、設定値“２×Ｋ”が第１電圧生成部１４０における第１レジスター１４５に書き込まれ保持され、設定値“Ｋ”が第２電圧生成部１５０における第１レジスター１４５に書き込まれ保持される（処理Ｓ１０２）。
【００４７】
次に、第１電圧生成部１４０及び第２電圧生成部１５０のそれぞれに対する書込み指示信号１２４によりそれぞれの第１レジスター１４５に保持された値がそれぞれの第２レジスター１４４に書き込まれる。これにより、第１電圧生成部１４０における出力アンプ１４２の出力が“２×Ｐ”となり、第２電圧生成部１５０における出力アンプ１４２の出力が“Ｐ”となる（処理Ｓ１０３）。この状態においては、第３基準電圧１６１〜第ｎ基準電圧１７１の出力電圧は０Ｖ（ボルト）のままである。従って、すべての基準電圧の設定がなされていないことから終了とは判断されず処理Ｓ１０２に進むことになる（処理Ｓ１０４）。
【００４８】
次の処理Ｓ１０２において、第１電圧生成部１４０における第１レジスター１４５に設定値“３×Ｋ”が書き込まれ、第２電圧生成部１５０における第１レジスター１４５に設定値“２×Ｋ”が書き込まれ、第３電圧生成部１６０における第１レジスター１４５に設定値“Ｋ”が書き込まれる。そして、次の処理Ｓ１０３において、第１電圧生成部１４０、第２電圧生成部１５０及び第３電圧生成部１６０のそれぞれの第１レジスター１４５の値がそれぞれの第２レジスター１４４に書き込まれ、第１基準電圧１４１の出力電圧が“３×Ｐ”に変化し、第２基準電圧１５１の出力電圧が“２×Ｐ”に変化し、第３基準電圧１６１の出力電圧が“Ｐ”に変化する。
【００４９】
制御部１２０により上述したような制御が繰り返され、処理Ｓ１０４においてすべての電圧生成部の出力が基準電圧値に達したと判断されると基準電圧設定の処理が終了する。
【実施例１】
【００５０】
本実施例は、電圧生成回路１００を用いた電子機器の例である。図４に表示装置１０の概略ブロック図を示す。表示装置１０は、電圧生成回路１００、画素信号ドライバー回路２００及び表示パネル３００を有する。表示装置１０において、電圧生成回路１００及び画素信号ドライバー回路２００は、図示していない電源部に接続されている電源信号１０２により電力が供給されている。尚、特に図示はしていないが、電源信号１０２が表示装置１０内部の他の部分の電源としても用いられていてかまわない。尚、表示装置１０における基準電圧は８種類（ｎ＝８）であるとする。
【００５１】
表示パネル３００は、例えば液晶パネルでもよい。画素信号ドライバー回路２００は、表示パネル３００に対して複数の画素データ信号２０１と、画素データ信号２０１を取り込むタイミングを指示するタイミング信号２０２とを出力する。画素データ信号２０１は、画素の表示階調を電圧の違いによって示した信号である。表示パネル３００に正しい画像を表示するためには、画素データ信号２０１において正確な階調レベルが維持される必要がある。電圧生成回路１００から出力される第１基準電圧１４１〜第８基準電圧１７１の基準電圧は、画素信号ドライバー回路２００において正確な階調レベルを生成するための基準電圧として用いられる。
【００５２】
基準電圧が上がると、これに応じて画素信号ドライバー回路２００が出力する画素データ信号２０１の階調レベルの電圧も上がる。画素データ信号２０１の本数は表示パネル３００の表示１ラインの画素数に応じた数であり、数１００〜数１０００の本数となるのが一般的である。画素データ信号２０１の階調レベルの電圧が上がるときにはこれに応じた量の電流が電源信号１０２から画素信号ドライバー回路２００に流れ込むことで消費電力が大きくなるが、内部回路で必要な部分に対するチャージが行われた後は消費電力は低下する。図５に、基準電圧の設定期間における第１基準電圧１４１〜第８基準電圧１７１の８本の基準電圧の出力の変化と、これに対する消費電力の変化とを対応付けたグラフを示す。表示装置１０においては、それぞれの基準電圧の出力開始が異なるタイミングであることと、それぞれの基準電圧の出力の変化が段階的であることから、チャージのために要する電力も段階的に変化する差分の量となる。
【００５３】
図８には、８本の基準電圧の出力開始を同時に行い規定の基準電圧まで変化させた場合（従来の場合）の、８本の基準電圧の出力の変化と、これに対する消費電力の変化とを対応付けたグラフの例を示す。図８における最大消費電力は、図５における最大消費電力よりも大きい。本発明を適用することで、基準電圧が規定の基準電圧に至るまでの間の消費電力の急激な変化を抑えることができる。装置内において安定した電圧を維持するためには、図８で示した場合のほうが図５で示した場合よりもより電力供給量の大きい電源部が必要となる。これからも分かるように、本発明を適用することにより、従来よりも小さな電源部を用いても安定した電圧を維持することが可能となる。
【００５４】
（第２実施形態）
図６に、本発明を適用した電圧生成回路４００を示す。電圧生成回路４００は、第１基準電圧４１１〜第８基準電圧４１８の８本の基準電圧を出力する。尚、本実施形態において、第１実施形態と同じ構成要素若しくは同様の機能を有するものには同じ番号を付し、その説明を省略する場合がある。
【００５５】
図６に示すように、電圧生成回路４００は、外部ＩＦ１１０、制御部１２０、発振器１３０及び基準電圧生成部４１０を含む。また、電圧生成回路４００には、電源信号１０２が接続されている。尚。図１と同様にＧＮＤ接続の図示は省略した。
【００５６】
図７に、基準電圧生成部４１０の概略ブロック図を示す。基準電圧生成部４１０は、８個の出力アンプ４２１〜４２８、分圧部４２０及び電圧変更制御部４３０を含む。図７には、第１基準電圧４１１、第２基準電圧４１２、第７基準電圧４１７及び第８基準電圧４１８に関する部分の一部を示している。出力アンプ４２１〜４２８は、第１実施形態における出力アンプ１４２と同様の機能を有する。
【００５７】
分圧部４２０は、抵抗ｒ１、抵抗ｒ２、抵抗ｒ１と抵抗ｒ２との間に接続された７個の抵抗ｒ３及び複数のスイッチを含む。当該複数のスイッチは、出力アンプ４２１〜４２８に対する入力信号を選択するためのスイッチである。これら複数のスイッチは、後述する電圧変更制御部４３０から出力される信号により制御される。
【００５８】
図７に示すように、抵抗ｒ１が電源信号１０２側に接続される抵抗であり、抵抗ｒ２はＧＮＤ側に接続される抵抗である。ここで、抵抗ｒ２の抵抗値と抵抗ｒ３の抵抗値は等しい抵抗値である。抵抗ｒ１、抵抗ｒ２及び抵抗ｒ３の具体的な抵抗値は特に言及しないが、出力する基準電圧と電源信号１０２の電圧に基づいて適切な抵抗値が設定されているものとする。尚、図７中のノードｄ８の部分の電圧が“８×Ｐ”であり、ノードｄ７の部分の電圧が“７×Ｐ”であり、ノードｄ６の部分の電圧が“６×Ｐ”であり、ノードｄ１の部分の電圧が“Ｐ”である。
【００５９】
本実施形態は、第１実施形態と同様に第１基準電圧４１１として出力される基準電圧が最も高い基準電圧であり、第８基準電圧４１８として出力される基準電圧が最も低い基準電圧である。また、それぞれの基準電圧が段階的に単位電圧分高くなり、規定される基準電圧に達するのが略同一のタイミングである。第１基準電圧４１１における段階的な電圧出力の開始が最も早い時刻に行われ、第８基準電圧４１８における段階的な電圧出力の開始が最も遅い時刻に行われる。
【００６０】
第１基準電圧４１１の出力は、ＧＮＤレベル及びノードｄ１〜ｄ８のいずれかの電圧であり、第８基準電圧４１８の出力は、ＧＮＤレベル及びノードｄ１のいずれかの電圧である。出力電圧の切替えは、第１基準電圧４１１に対しては８回であり、第２基準電圧４１２から第８基準電圧４１８に向けて１回ずつ減っていき、第８基準電圧４１８に対しては１回である。従って、ＧＮＤ接続分のスイッチを加えて、第１基準電圧４１１の出力を変化させるためのスイッチの数は９個であり、第８基準電圧４１８の出力を変化させるためのスイッチの数は２個である。図７における分圧部４２０のブロック図はこの状態を示したものである。
【００６１】
電圧変更制御部４３０は、出力アンプ４２１〜４２８に対する入力を選択する、上述した複数のスイッチの制御を行うためのスイッチ制御信号を生成する部分である。スイッチ制御信号は、各々の基準電圧毎に生成される。図７には、第１基準電圧４１１に対するスイッチ制御信号５１１〜５１９を生成する電圧出力制御部５１０、第２基準電圧４１２に対するスイッチ制御信号５２２〜５２９を生成する電圧出力制御部５２０、第７基準電圧４１７に対するスイッチ制御信号５７７〜５７９を生成する電圧出力制御部５７０及び第８基準電圧４１８に対するスイッチ制御信号５８８及び５８９を生成する電圧出力制御部５８０を示している。図示していない第３基準電圧〜第６基準電圧に対する制御部分は、図示したものと類似の構造を有する。
【００６２】
次に、電圧生成回路４００の動作について、フローチャートを用いて説明する。
【００６３】
図３−（ｂ）に、電圧生成回路４００における制御フローチャートＦ２００を示す。まず、電圧生成回路４００を有する装置の電源が投入されると、初期設定（処理Ｓ２０１）が行われる。初期設定（処理Ｓ２０１）には、当該装置の電源投入に伴い行われるパワーオンリセットとその後に実行される初期設定ルーチンによる制御モード等の設定の処理が含まれる。電圧出力制御部５１０〜５８０は、それぞれの内部に電圧出力許可フラグを有する。電圧出力許可フラグは、初期設定（処理Ｓ２０１）において、オフ（出力不許可）に設定される。電圧出力許可フラグがオフの場合は、出力アンプ４２１〜４２８に対する入力が、ＧＮＤレベルが固定的に選択されるようにスイッチ制御信号が制御される。具体的には、図７で示しているスイッチ制御信号５１９、スイッチ制御信号５２９、スイッチ制御信号５７９及びスイッチ制御信号５８９がオンとなる。これにより、上述したように、初期設定終了時点においては、第１基準電圧４１１〜第８基準電圧４１８の出力は０Ｖ（ボルト）となる。
【００６４】
次に、電圧出力制御部５１０〜５８０に対する動作条件の設定が制御部１２０により行われる（処理Ｓ２０２）。設定される動作条件は、第１基準電圧４１１〜第８基準電圧４１８の出力電圧を変化させる時間間隔（第１条件）と、出力する基準電圧の許可（第２要件（第２条件））である。
【００６５】
第１条件は、発振器１３０から出力されるクロックのカウント数で定義されることでよい。カウント数は、内部制御信号１２１を介して、電圧生成回路４００内の図示していない計数カウンターに制御部１２０により設定される。計数カウンターは、カウントを開始すると連続してカウント動作を行い、定義されたカウント数がカウントされる毎に設定指示信号５０１をオンにする。設定指示信号５０１は、電圧出力制御部５１０に入力され、スイッチ制御信号５１１〜５１９の切替えタイミング制御に用いられる。
【００６６】
設定指示信号５０２は、スイッチ制御信号５２２〜５２９の切替えタイミング制御に用いられる信号であり、設定指示信号５０１が１度オンとされた後に発生する設定指示信号５０１のオンが電圧出力制御部５１０によって伝達される信号である。設定指示信号５０３は、電圧出力制御部５２０によって、設定指示信号５０２が同様に伝達される信号である。同様にして、設定指示信号５０１のオンの状態は、設定指示信号５０７及び設定指示信号５０８に順次伝達される。
【００６７】
第２条件の設定は、電圧出力制御部５１０〜５８０のそれぞれの内部に存在する出力許可フラグをオンにすることで行われる。出力許可フラグをオンにする処理は、内部制御信号１２１を介して制御部１２０により行われる。出力許可フラグがオンであるときに、上述した設定指示信号５０１〜５０８のオンのタイミングでスイッチ制御信号の出力の変更が行われる。尚、出力許可フラグがオフの場合でも設定指示信号の伝達は行われる。
【００６８】
次に、制御部１２０から内部制御信号１２１を介して基準電圧設定開始の指示が行われる（処理Ｓ２０３）。基準電圧設定開始の指示により、計数カウンターのカウントが開始される。基準電圧設定開始の指示を行うことで、制御部１２０における基準電圧設定の処理は終了する。
【００６９】
続いて、電圧出力制御部５１０〜５８０の全てにおいて出力許可フラグがオンに設定された場合における基準電圧設定開始の指示が行われた後の動作を説明する。
【００７０】
基準電圧設定開始の指示により、電圧生成回路４００内の図示していない計数カウンターにより第１条件のカウントが開始され、カウントアップするごとに計数カウンターから出力される設定指示信号５０１がオンとなる。設定指示信号５０１がオンとなることにより、電圧出力制御部５１０においてスイッチ制御信号５１１〜５１９に対する制御が行われ、スイッチ制御信号５１９がオフとなると共にスイッチ制御信号５１８がオンとなる。これにより、第１基準電圧の出力電圧が“Ｐ”となる（図５−（ａ））。
【００７１】
計数カウンターによる第１条件のカウントは継続され、カウントアップすると設定指示信号５０１が再びオンとなる。これにより、電圧出力制御部５１０においてスイッチ制御信号５１１〜５１９に対する制御が行われ、スイッチ制御信号５１８がオフとなると共にスイッチ制御信号５１７がオンとなる。これにより、第１基準電圧の出力電圧が“２×Ｐ”となる（図５−（ｂ））。また、設定指示信号５０２がオンとなり、電圧出力制御部５２０においてスイッチ制御信号５２２〜５２９に対する制御が行われ、スイッチ制御信号５２９がオフとなると共にスイッチ制御信号５２８がオンとなる。これにより、第２基準電圧の出力電圧が“Ｐ”となる（図５−（ｂ））。
【００７２】
このように、計数カウンターのカウントアップに基づいて設定指示信号５０１〜設定指示信号５０８がオンとなることにより、スイッチ制御信号の制御が行われ、第１基準電圧４１１〜第８基準電圧４１８が、第１条件として指定した時間間隔毎に単位電圧“Ｐ”だけ上昇し、目的として規定された電圧に達すると、計数カウンターによるカウントを終了させる。このときの第１基準電圧４１１〜第８基準電圧４１８の変化の状態は図５で示したようになる。
【００７３】
第１基準電圧４１１〜第８基準電圧４１８が、所定の期間をおいて単位電圧分段階的に変化させることで、装置としての消費電力の急激な変化を抑制することが可能となる。
【００７４】
また、電圧出力許可フラグがオフとなった場合の例として、電圧出力制御部５２０における電圧出力許可フラグがオフの場合の第１基準電圧４１１〜第８基準電圧４１８の状態を図９に示す。この場合、第２基準電圧４１２の出力はＧＮＤレベルのままとなる。
【００７５】
以上、本発明の適用例並びに実施形態の説明を行ったが、本発明の実施は上記の内容に限定されるものではない。例えば、第２実施形態において、電圧出力許可フラグがオフに設定された電圧出力制御部が出力する設定指示信号は、入力される設定指示信号が直接出力されるようにしてもよい。これにより、基準電圧の設定にかかる期間を短縮させることが可能となる。本発明は、本発明の趣旨を逸脱しない範囲において、広く適用が可能である。
【符号の説明】
【００７６】
１０…表示装置、１００…電圧生成回路、１０１…外部信号、１０２…電源信号、１１０…外部ＩＦ（外部インターフェイス）、１２０…制御部、１２１…内部制御信号、１２２…データ信号、１２３…書込み指示信号、１２４…書込み指示信号、１２６…デジタル信号、１２７…アナログ信号、１３０…発振器、１３１…動作クロック、１４０…第１電圧生成部、１４１…第１基準電圧、１４２…出力アンプ、１４３…ＤＡＣ（デジタル−アナログ変換器）、１４４…第２レジスター、１４５…第１レジスター、１５０…第２電圧生成部、１５１…第２基準電圧、１６０…第３電圧生成部、１６１…第３基準電圧、１７０…第ｎ電圧生成部、１７１…第ｎ基準電圧（第８基準電圧）、２００…画素信号ドライバー回路、２０１…画素データ信号、２０２…タイミング信号、３００…表示パネル、４００…電圧生成回路、４１０…基準電圧生成部、４１１…第１基準電圧、４１２…第２基準電圧、４１７…第７基準電圧、４１８…第８基準電圧、４２０…分圧部、４２１〜４２８…出力アンプ、４３０…電圧変更制御部、５０１…設定指示信号、５０２…設定指示信号、５０３…設定指示信号、５０７…設定指示信号、５０８…設定指示信号、５１０…電圧出力制御部、５１１〜５１９…スイッチ制御信号、５２０…電圧出力制御部、５２２〜５２９…スイッチ制御信号、５７０…電圧出力制御部、５７７〜５７９…スイッチ制御信号、５８０…電圧出力制御部、５８８…スイッチ制御信号、５８９…スイッチ制御信号。
【図１】
0006028895.tif 000002
【図２】
0006028895.tif 000003
【図３】
0006028895.tif 000004
【図４】
0006028895.tif 000005
【図５】
0006028895.tif 000006
【図６】
0006028895.tif 000007
【図７】
0006028895.tif 000008
【図８】
0006028895.tif 000009
【図９】
0006028895.tif 000010